(57)【特許請求の範囲】
【請求項１】
各々が少なくとも１つの対物レンズ（７０）と１つの接眼レンズ（７１）とを有する２つのレンズシステム（１）と、
対物から拡大眼鏡までの距離に従ってレンズシステム（１）の焦点を合わせるように焦点距離を変えるための自動焦点合せ手段（４）と、
前記２つのレンズシステム（１）の倍率を変えるためのユニット（１５）と、
視覚補助装置の２つのレンズシステム（１）間の視差を、対物から望遠眼鏡までの距離に従って夫々設定された焦点距離に一致させるためのユニットと、
視覚補助装置の光路（１４）上に位置された調節可能な光学部材（１１）とを有する、ヘッドセット（３４）に取着されている、望遠眼鏡の形状の視覚補助装置において、
前記２つのレンズシステム（１）から対物まで延びている複数の光路（１４）間の角度（１３）を前記光学部材（１１）によってのみ変えるように、前記光学部材（１１）は、レンズシステム内の光路と交差し、光路に対して横方向に延びた湾曲路に沿って配置され得るか、傾動するように配置されていることを特徴とする、視覚補助装置。
【請求項２】
前記光学部材（１１）は、複数のレンズもしくは複数のレンズの複数の組であることを特徴とする、請求項１の視覚補助装置。
【請求項３】
前記光学部材（１１）は、複数のプリズムもしくは複数のプリズムの複数の組であることを特徴とする、請求項１の視覚補助装置。
【請求項４】
前記両レンズシステム（１、５１、５２）は、夫々の管（１）内に配置されていることを特徴とする、請求項１乃至３のいずれか１の視覚補助装置。
【請求項５】
前記両レンズシステム（５１、５２）は、共通の管（５０）内に配置されていることを特徴とする、請求項１乃至３のいずれか１の視覚補助装置。
【請求項６】
前記両レンズシステム（５１、５３）は、接眼レンズ（７１）並びに／もしくは対物レンズ（７０）の近くに位置されたカバー（５３）によって覆われていることを特徴とする、請求項５の視覚補助装置。
【請求項７】
前記複数の光学部材（１１）は、１つの管（５０）内もしくは複数の管（１）内に位置されていることを特徴とする、請求項１乃至６のいずれか１の視覚補助装置。
【請求項８】
前記光学部材（１１）は、前記対物レンズの面の前に位置されていることを特徴とする、請求項１乃至７のいずれか１の視覚補助装置。
【請求項９】
画像並びに／もしくはテキスト形式の情報が、２つのレンズシステムの一方の中に少なくとも位置されている１つの光学面（１６）中に挿入され得ることを特徴とする、請求項１乃至８のいずれか１の視覚補助装置。
【請求項１０】
前記２つの接眼レンズ（２）の少なくとも一方の近くに、画像並びに／もしくはテキスト形式の情報を表示するためのディスプレイ（１８）が設けられていることを特徴とする、請求項１乃至９のいずれか１の視覚補助装置。
【請求項１１】
視覚補助装置によって得られる画像が伝送され得るディスプレイユニットが、視覚補助装置に接続されていることを特徴とする、請求項１乃至１０のいずれか１の視覚補助装置。
【請求項１２】
前記ディスプレイユニットは、視覚補助装置の外側に配置されていることを特徴とする、請求項１１の視覚補助装置。
【請求項１３】
視覚補助装置によって得られる画像は、光学部材によって、もしくは視覚補助装置の２つの光路の少なくとも一方からの反射によって、ディスプレイユニットへ伝送され得ることを特徴とする、請求項１１もしくは１２の視覚補助装置。
【請求項１４】
情報を含んだ画像もしくはテキストの挿入は、管（１）の２つの光路中に立体的に挿入され得ることを特徴とする、請求項４の視覚補助装置。
【請求項１５】
画像もしくはテキストの一部分は、目距離と視差とによって補正された単一の画像として挿入され得ることを特徴とする、請求項１乃至１４のいずれか１の視覚補助装置。
【請求項１６】
挿入される情報は、視覚補助装置の、観察される対物に対する観察角を変えることによって、選択され得ることを特徴とする、請求項１乃至１５のいずれか１の視覚補助装置。
【請求項１７】
光学もしくは電磁気位置検出システムのような測定装置並びに／もしくはセンサー、あるいは、加速計もしくは角速度センサーのような慣性センサーが、視覚補助装置に割り当てられていることを特徴とする、請求項１乃至１６のいずれか１の視覚補助装置。
【請求項１８】
画像データ、ＥＣＧのような、解剖学的、機能的及び技術的な情報が、情報として正確に所定の位置に挿入され得ることを特徴とする、請求項１１乃至１７のいずれか１の視覚補助装置。
【請求項１９】
医療用装置並びに／もしくは医療器具の、患者に対する位置の相互決定に関連した画像が、挿入され得ることを特徴とする、請求項１１乃至１８のいずれか１の視覚補助装置。
【請求項２０】
少なくとも１つのレンズシステムの光路中、もしくは接眼レンズ（２、７１）の近くに設けられたディスプレイ（１８）内に挿入される前記画像は、全体的なもしくは部分的な画像として表示及び決定され得ることを特徴とする、請求項１乃至１９のいずれか１の視覚補助装置。
【請求項２１】
測定スケールが、対物レンズの中間画像面（１６）へと反映されることを特徴とする、請求項１乃至２０のいずれか１の視覚補助装置。
【請求項２２】
前記測定スケールは、夫々に設定された、対物レンズの焦点距離と倍率とに従って、選択されることを特徴とする、請求項２１の視覚補助装置。
【請求項２３】
焦点距離並びに／もしくは倍率の変更は、音声に依存した制御方式によって制御され得ることを特徴とする、請求項１乃至２２のいずれか１の視覚補助装置。
【請求項２４】
視覚補助装置上には、照明された領域のサイズが視覚補助装置の視野に対応するように視覚補助装置の夫々の倍率に適合され得るアパーチャ角を有する光源が設けられていることを特徴とする、請求項１乃至２３のいずれか１の視覚補助装置。
【請求項２５】
前記光源は、外部光源（２９）からの光ファイバー束（２０）によって提供された光源であることを特徴とする、請求項２４の視覚補助装置。
【請求項２６】
前記光源のアパーチャ角と、出射光の強度とは、管内もしくは光源並びに／もしくはシャッターに位置されたレンズシステムによって変えられ得ることを特徴とする、請求項２４もしくは２５の視覚補助装置。
【請求項２７】
光源（１９）からの光は、ビームスプリッター（２１）もしくはプリズム反転システム（２１）のプリズム面によって結合され、視覚補助装置の光学システムによって、対物の方に出射されることを特徴とする、請求項１乃至２６のいずれか１の視覚補助装置。
【請求項２８】
前記レンズシステムの複数の対物レンズ（７０）の互いの距離は、複数の接眼レンズ（２）の互いの一定の距離のもとで変えられ得ることを特徴とする、請求項１乃至２７のいずれか１の視覚補助装置。
【請求項２９】
前記複数の対物レンズ（７０）の互いの距離は、レンズシステムの接眼レンズ（２）間の一定の接続部（１７）によりレンズシステムを保持する複数の管（１）間の長さが調節可能な接続部（１７）によって与えられることを特徴とする、請求項２６の視覚補助装置。
【請求項３０】
前記複数の対物レンズ（７０）の、互いの距離は、管（１）を平行に調整することによって変えられることができ、また、複数の接眼レンズ（２）は、管（１）上で、反対方向に調節され得ることを特徴とする、請求項２９の視覚補助装置。
【請求項３１】
前記接眼レンズ（２）は、交換可能な接眼レンズとして形成され、並びに／もしくは、前記対物レンズ（７０）は、交換可能な対物レンズとして形成されていることを特徴とする、請求項１乃至３０のいずれか１の視覚補助装置。
【請求項３２】
視覚補助装置内には、自動焦点合せ手段に組合され、使用者の瞳孔の位置を検出するための、少なくとも１つの手段が設けられ、また、視覚補助装置と対物との間の距離（Ａ）は、瞳孔の位置によって予め決定された観察角で自動焦点合せ手段を動かすために決定されることを特徴とする、請求項１乃至３１のいずれか１の視覚補助装置。
【請求項３３】
前記２つのレンズシステムの少なくとも一方には、フィルター（２８）が設けられていることを特徴とする、請求項１乃至３２のいずれか１の視覚補助装置。
【請求項３４】
前記フィルター（２８）は、これらの駆動位置からまたは駆動位置へと動かされ得ることを特徴とする、請求項３３の視覚補助装置。
【請求項３５】
前記少なくとも１つのレンズシステム内では、レンズシステムの光路中に結合され得る、レーザーユニットから射出されたレーザービームが、対物（３０）に向けられていることを特徴とする、請求項１乃至３４のいずれか１の視覚補助装置。
【請求項３６】
レーザービームの供給により、位置付けマークが、前記中間画像面に与えられ、かくして、レーザービームの直径と位置とが、物体領域内に表示され得ることを特徴とする、請求項３５の視覚補助装置。
【請求項３７】
前記ヘッドセット（３４）上に、頭部の前方から後方へと延び、長さが変えられ得る斜め材（３５）が設けられていることを特徴とする、請求項１乃至３６のいずれか１の視覚補助装置。
【請求項３８】
前記ヘッドセット（３４）上には、調節可能に、視覚補助装置の重量を全体的にもしくは部分的に均等化する、少なくとも１つのつりあいおもり（３６）が設けられていることを特徴とする、請求項３７の視覚補助装置。
【請求項３９】
視域の光の安定化手段が、レンズシステムによって、光路に与えられることを特徴とする、請求項１乃至３８のいずれか１の視覚補助装置。
【請求項４０】
視域の光の安定化手段が、能動的なもしくは受動的な振動減衰として成されることを特徴とする、請求項３９の視覚補助装置。
【請求項４１】
視覚補助装置のためのヘッドセット（３４）上に、脳の電流を検知する電極が設けられ、また、これら電極は、視覚補助装置の機能を制御するための制御手段に結合されていることを特徴とする、請求項１乃至４０のいずれか１の視覚補助装置。
【請求項４２】
前記制御手段は、外部の装置であるロボットに結合されていることを特徴とする、請求項４１の視覚補助装置。
【請求項４３】
結合が、有線放送もしくは赤外線によって成されることを特徴とする、請求項４２の視覚補助装置。
【請求項４４】
前記ヘッドセット（３４）上に、バイオセンサー、ＥＥＧセンサー並びに／もしくは皮膚の抵抗を測定して視覚補助装置の使用者のバイタルサインを得るためのセンサーが設けられている、請求項１乃至４３のいずれか１の視覚補助装置。
【請求項４５】
視覚補助装置の接眼レンズ（２）上には、光学の観察装置を保持するための保持装置が設けられていることを特徴とする、請求項１乃至４４のいずれか１の視覚補助装置。
【請求項４６】
前記保持装置によって保持されている観察装置は、接眼レンズの近くに位置されていることを特徴とする、請求項４５の視覚補助装置。
【請求項４７】
前記２つのレンズシステムは、共通の管内に収容されている、請求項１乃至４３のいずれか１の視覚補助装置。
【請求項４８】
前記自動焦点合せ手段（４）の受け取りユニット（６）上には、物体領域（３０）によって反射された赤外線信号（４４）のみを透過する装置（４５、４６、４７）が、設けられていることを特徴とする、請求項１乃至４７のいずれか１の視覚補助装置。
【請求項４９】
前記透過する装置は、フィルター（４５）であることを特徴とする、請求項４８の視覚補助装置。
【請求項５０】
前記透過する装置は、偏光フィルター（４５）であることを特徴とする、請求項４９の視覚補助装置。
【請求項５１】
前記透過する装置は、物体領域（３０）に向けられるように、自動焦点合せ手段（４）の受け取り部（６）上に位置されている管（４７、６５）であることを特徴とする、請求項４８の視覚補助装置。
【請求項５２】
前記透過する装置は、自動焦点合せ手段（４）の受け取り部（６）上に位置された、ルーバ（６３）もしくは格子取着部（４６）であることを特徴とする、請求項４８の視覚補助装置。
【請求項５３】
前記ルーバ（６３）もしくは格子取着部（４６）は、直線に方向付けられた、ルーバ（６３）もしくは格子取着部（４６）であることを特徴とする、請求項５２の視覚補助装置。
【請求項５４】
前記ルーバもしくは格子取着部は、斜めに方向付けられたルーバもしくは格子取着部であることを特徴とする、請求項５２の視覚補助装置。
【請求項５５】
前記レンズシステム（５１、５３）の光路上には、透明なディスプレイ（７４）が設けられ、また、仮想ディスプレイが、主ディスプレイ（７５）からビームスプリッター（８０）を介してレンズシステムの光路中に映されることを特徴とする、請求項１乃至５４のいずれか１の視覚補助装置。
【請求項５６】
前記ビームスプリッター（８０）は、プリズムであるか、半透明のミラーであることを特徴とする、請求項５５の視覚補助装置。
【発明の詳細な説明】
【０００１】
【発明の属する技術分野】
本発明は、焦点距離を変えるための手段と、視覚補助装置の管間の視差を夫々設定された焦点距離に適合させるための手段と、自動焦点合せ手段とを有する、請求項１の前段部の特徴を有する視覚補助装置に関する。
【０００２】
【従来の技術】
このような、焦点距離を変えるための手段と、視覚補助装置の管間の視差を夫々設定された焦点距離に適合させるための手段と、自動焦点合せ手段とを有する、視覚補助装置（望遠眼鏡）は、ＷＯ９６／０９５６６号（もしくは、基本的に同じ内容のＵＳ５９７１５４０Ａ号）によって公知である。この公知の視覚補助装置は、望遠眼鏡として使用されることを意図している。
この公知の望遠眼鏡は、自動の、並びに／もしくは、手動の焦点合せ手段と、倍率（magnification factor）を手動で変えるための装置と、各焦点距離に対応した視差均等化を自動的かつ機械的に行うための装置とを有する。例えば血管手術中に、夫々異なった手術部位の夫々の位置によって、作業距離が変えられなくてはならない場合、焦点距離と視差角とが、新しい作業距離に、自動的にもしくは手動で調節される。このように、その時点で進行中の手術に対応して、視覚補助装置の最適な調節が確実に成される。更に、視覚補助装置の使用者は、人間工学的にその時点で最も有効な位置を想定することができ、かくして、疲労（fatigue）のない作業が可能にされる。また、公知の視覚補助装置は、所定の選択された作業距離において、倍率を各要求条件に適合し得るようにさせる。ヘッドセットを使用して装着される公知の視覚補助装置は、使用者が、作業距離と使用される倍率を、自由に幅広く選択できるようにする。制御装置は、足で操作されるスイッチである。公知の視覚補助装置は、作業距離及び焦点位置が変わる際に３−Ｄ画像が破壊されるのを防ぐために、視覚補助装置の管の角度を互いに機械的に変える事によって視差角を各焦点距離に対して適合させる自動焦点合せ手段を、使用している。
【０００３】
【発明が解決しようとする課題】
このようなタイプの、夫々設定された焦点距離に視差を適合させる方法は、幾つかの不利な点を必然的に伴う。
（１）複数の管は、ギアを介してモータによって機械的に移動される。この手段は、比較的重いので、使用者の装着感がよくない。
（２）視覚補助装置の複数の管が、縦軸に沿って互いに移動可能にされなくてはならないことから、システムの、機械的なストレスに対する抵抗を受けなくなる。
（３）作業距離を夫々に変えるために、視差均等化手段は、複数の管の互いの位置を、また、かくして、使用者の目に対する、接眼レンズ面の角度とを、変える。これによって、破壊的な反射と、入射ひとみ及び視野の減少とが招かれ得る。
【０００４】
（４）実際には、このようなタイプの視差均等化を行う、使用者から独立したシステムを作ること、即ち、各システムが、所定の使用者とこの人の入射ひとみ距離とに合わせられることは、殆ど不可能である。このために、例えば病院が全ての外科手術を自動焦点合せ望遠眼鏡を用いて行うことが確実にできるように意図する場合には、かなりの投資費用が必要になる。
（５）接眼レンズを超えて突出している補正用ガラスが、接眼レンズに取り付けられている場合、管の位置が所定の状況下で変化すると、補正用ガラスは、使用者の顔に接触し、かくして、使用者の気を散らす。
【０００５】
更に、例えば手術において、モニターシステムからの患者のバイタルサイン、測定スケールもしくはＸ線、コンピュータ断層撮影法もしくは他のデータのような付加的な情報を見ることができるようにこのような視覚補助装置を使用することは、使用者にとって大きな利点である。現在公知の望遠眼鏡は、このような可能性を与えていない。
同様の望遠眼鏡が、ＡＴＥ９９７８２Ｂ号によって公知である。
ＵＳ５０７８４６９Ａ号は、ビデオカメラ及びディスプレイユニットが手術部位の画像を伝えるために接続されている望遠眼鏡を開示している。
ＷＯ９５／２５９７９Ａ号は、外科手術の領域の三次元ビデオデータを作り及び表示し、例えば患者のデータなどの付加的な情報を映し出すための手段を有する外科手術顕微鏡を開示している。
【０００６】
ＵＳ４６２１２８３Ａ号は、望遠眼鏡と記録カメラと光源とを備え、外科医の頭部に装着される装置を開示している。記録カメラと、回転ミラーによる光源とは、これらが頭部上で少し離れて装着されている状況に関係なく、外科医の眼前の望遠眼鏡を通した観察の方向に対して基本的に平行である観察方向を有し、かくして、外科医によって見られる画像の領域が、記録手段による観察角と基本的に同じ角度から、スクリーンに伝えられ得る。
【０００７】
本発明の目的は、頭部に装着され、各作業に適合して使用者が作業距離を変え、夫々異なる倍率を用いることを可能にする視覚補助装置を、利用できるようにすることである。更に、３−Ｄ画像が、ＷＯ９６／０９５６６号によって公知の視覚補助装置と同様に、視覚補助装置の２つの管の互いの位置を変えられることなく、保たれる。更に、使用者が、外部データ源からのテキストもしくはビデオ形状の付加的な情報を見て、視覚補助装置の接眼レンズを対応した設定にすることによって低視程をなくすことが、可能である。
【０００８】
更に、３−Ｄ画像が、ＷＯ９６／０９５６６号によって公知の視覚補助装置と同様に、視覚補助装置の２つの管の互いの位置を変えられることなく、保たれる。更に、使用者が、外部データ源からのテキストもしくはビデオ形式の付加的な情報を見て、視覚補助装置の接眼レンズを対応した設定にすることによって任意で低視程をなくすことが、可能である。
【０００９】
【課題を解決するための手段】
このような目的は、本発明で請求されているように、視覚補助装置の光路に設けられた調節可能な光学部材を用いて、複数の管から対物まで延びている複数の光路間の角度が変えられ得ることによって特徴付けられる、視覚補助装置によって、果たされる。
本発明で請求されている視覚補助装置の好ましく効果的な実施形態は、従属請求項の主題である。
本発明で請求されている視覚補助装置は、全く新規の応用例もしくは（製品の）クラスを表す。これは、一方では、主として、自動焦点合せ、光学視差均等化、変えられ得るズーム等のこれまで前例のない特性が可能にされ、使用中に完全に自由に移動され得るという点で、望遠眼鏡並びに外科手術用顕微鏡とは異なっている。本発明で請求されている視覚補助装置は、外科手術用顕微鏡とは、主に、使用者の頭部にヘッドセットを用いて装着され得るという点で、異なっている。
【００１０】
本発明で請求されている視覚補助装置は、人体もしくは動物に対する作業時だけでなく、使用者が拡大された作業領域を見るどんな場合にでも、使用され得る。
本発明は、変えられ得る倍率、自動焦点合せ、並びに、自動的な視差均等化を有して、低視程を補正し得ると共に、この視覚補助装置の管の互いに対する角度を変えられる必要のない、軽く安定したかつ快適な立体的視覚補助装置を、呈している。この特性はまた、視覚補助装置が、２つの光路が単一の好ましくは卵形の管内に収容され得るような形状にされるのを、可能にする。更に、付加的な視覚情報が、使用者に与えられ得る。
【００１１】
好ましい実施形態では、本発明で請求されている視覚補助装置は、以下の可能性のうち少なくとも１つを提供する。
本発明で請求されている視覚補助装置が、手術で使用されている場合、本発明の視覚補助装置を使用する外科医の作業距離は、倍率を変えることなく、例えば、助手が、外科手術の部位をよりよく見ることができるようにするために、変えられ得る。
更に、例えば突出部のような対物は、倍率を合わせる必要なしに、正確な量的決定の支配下にあり得る。
外科手術の間、光路は、対物レンズと外科手術領域との間を、わずかに交差する事が多い。これによって、焦点距離は、望ましくなく、交差する物品に適合され、これに続いて、公知の望遠眼鏡内の自動焦点合せ手段によって最初の視野に再適合される。本発明では、これは、遅れスイッチによって与えられる焦点距離の自動的な変更によって、かくして、調節可能な時間後のみの、並びに／もしくは、新しい作業距離に最適化される焦点距離までの任意の速度誘導による、作業距離の変更によって、防がれ得る。従って、自動焦点合せ構造部の反応時間は、所定の状況もしくは個人の作業スタイルに会わせて適合され得る。
【００１２】
本発明の一実施形態は、特に外科の訓練において、生徒が、外科医に与えられる視野に忠実に手術を目で追うように作業を観察するのを、可能にする。
特に体腔内の手術では、最適な照明に関する問題が度々生じる。シーリングライトが、適当な位置まで動かされ得ることはまずない。ヘッドセット内に設けられた光源は、必然的に、対物レンズと視野との間に、光学光路に対する視差角を有する。これによって、特に、小さな直径を有する体腔内に、不要なキャストシャドーが形成される。また、手伝いの内科医が外科医の正確な視野を認識することは、外科医の注意をこの視野に集中させるために、効果的であり得る。
【００１３】
本発明の応用例では、組織の自己蛍光特性が利用されるものと想像され得る。このために、様々のフィルターと周波数変換システムを用いてもしくは用いずに、本発明で請求されている視覚補助装置と結合された、ＵＶ／ＩＲもしくはレーザー光源が、使用され得る。また、拡大された３―Ｄ効果が有利にされる、応用状況がある。本発明は、１つのバージョンで、複数の対物レンズの互いからの距離を大きくさせるための装置によって、これを行う。
本発明で請求されている視覚補助装置の使用者は、例えば、作業中に自身を従来的に適応させるために、眼前に設けられた望遠眼鏡を過ぎて観察することが多い。低視程の際には、補正ガラスが望遠眼鏡の接眼レンズに取着されている場合にのみ実用的である。これら補正ガラスは、本発明の一実施形態で望遠眼鏡の焦点距離が変化する際に、視差角が変化するときの光学品質の低下を防ぐために、視差の適合を果たす。
【００１４】
接眼レンズ上に設けられたジオプトリー均等化によって補正され得ない低視程は、ＷＯ９６／０９５６６号によって公知の視覚補助装置を用いる際の問題であり、本発明の一実施形態で、接眼レンズに設けられた補正ガラスによってなくされる。
本発明で請求されているように好ましくは設けられている、容易に洗浄され得る、吸収、反射もしくは濾過のための保護ガラスと、例えば外科手術のパラメータのような情報の、中間視野の中もしくは近くへの反射とは、幾つかの考え得る可能な応用例において、効果的である。
対物の正確な量的決定のために、液晶ディスプレイとして形成され得る本発明の測定スケール内で、ＬＥＤ真空蛍光ディスプレイもしくはガス排出ディスプレイもしくは他の形状のディスプレイが、中間画像平面に挿入され得る。
【００１５】
更に、一実施形態では、光路の一部分をＣＡＤカメラモジュール上に反射することによって、例えば外科手術の訓練において望ましい、外科手術の進行のモニター上での観察が、可能になる。
変えられ得るアパーチャによってファイバーの集まりとして形成され、光学システム中に結合されている、１つの好ましい光源は、本発明の視覚補助装置のこの実施形態を用いる際に、公知の視覚補助装置と比較して、照明特性を著しく向上させている。光が、好ましくはビームスプリッターによって、もしくはプリズム反転システムのプリズム面中に、結合される。光源は、観察のための、ＵＶ／ＩＲもしくはレーザー光を放射し得る。対物によって反射された光は、接眼レンズ内のフィルターによって吸収もしくは反射され得る。赤外線光、紫外線光もしくはレーザー光の使用は、診断上、大きな効果を有し得る。
【００１６】
管もしくは接眼レンズの距離を変えることなく焦点距離が変わる際の、視差均等化は、本発明では、例えば電気モータによって、果たされ得る。この電気モータは、同時に横方向並びに／もしくは軸方向に移動し、任意で各対物レンズもしくはこれの一部分（前部）を、層状でかつカム制御された対応したケーブルもしくはギヤを介して傾斜させる視覚補助装置の中心部に、設けられている。軸方向の変位を利用して、夫々異なった距離に対する焦点合わせ（焦点距離の変更）が、果たされ得る。視覚補助装置の基礎設定では（移動可能な対物レンズもしくはレンズの一部分の光学軸が、ズームの延長部の光学軸にある）、距離の設定と、収束角度とが、好ましくは中心作業距離に対して設定され、かくして、接眼レンズの光学軸は、目の光学的な中心点を通って延びている。作業距離が変わるとき、内部に焦点合わせ構造を有する対物レンズもしくは関連した対物レンズの一部分は、対物側のシステムの焦点が光学平面内に位置されるように、軸方向に移動され得る。更に、本発明の、カムによって制御される横方向の動きが、２つの対物レンズの焦点距離が視覚補助装置の対称平面（plane of symmetry）に沿って正確に案内されるように、果たされ得る。視差を均等化するために、接眼レンズの光学軸に対する角度及び距離の変更は、不要である。
【００１７】
更に、この際に、対物レンズもしくはこれらレンズの一部分を傾斜させることによって、横方向のオフセット（例えば、非点収差、画像平面の傾斜）によって生じる画像エラーの補正が、果たされ得る。対物レンズもしくは対物レンズの一部分の上述のような運動は、アクチュエーターの、電気的もしくは空気圧によって駆動される直線運動によって、生じ得る。
ａ）焦点距離を変えることによるレンズシステムの焦点合わせと、
ｂ）レンズシステムの倍率の変更、との間の関係が、以下に説明され得る。
【００１８】
レンズシステムと物品／物体領域との間に所定の距離を置いて、鮮明な画像を得るために、レンズシステムの焦点距離は、例えば自動焦点合せ手段によって、物品／物体領域の間の距離に従って変えられなくてはならない。この“焦点合わせ”により、レンズシステムと物品／物体領域との間の距離にのみ左右されるサイズを有する、焦点を合わせられた画像が与えられる。物品／物体領域の焦点を合わせられた画像のこのサイズは、物品／物体領域とレンズシステムとの間の距離を変えることによってのみ、変えられ得る（大きい距離のときは小さい画像で、小さい距離のときは大きい画像）。もう一方で、ズーム手段を有するレンズシステムの焦点距離を変えることによって、レンズシステムと物品／対物の領域の間の距離を変えることなく、かくして、ズーム手段を用いて焦点距離を変えることでのみ、物品／物体領域の画像のサイズの拡大もしくは縮小が可能にされる。従って、自動焦点合せ手段を有するレンズシステムの“焦点合せ”と、ズーム手段の調節との両方が、焦点距離の変化を伴う。しかし、自動焦点合せ手段とズーム手段とは、同じではない。
【００１９】
このような原則は、カメラの対物レンズにおいて確立され得る。ズーム機能を有さない自動焦点合せカメラは、カメラが一時的に木に接近し、そして再び木から遠くへ離れるときのみは、どんな場合でも、鮮明に、大きくもしくは小さく焦点合わせされた所定の木を表示し得る。どちらの場合にも、夫々異なった焦点距離を有する写真を撮影する。もう一方で、ズーム対物レンズを有するカメラは、１つの位置から、一度目は大きく、そして、再び小さく、木を撮影することができる。このカメラは、夫々異なった焦点距離によって、撮影を行うが、また、ズーム手段も有している。ズーム手段はレンズシステム内に位置付け機構を有する付加的な複合レンズを必要とするので、相当の高コストと、夫々異なった（低い）光強度と、これらレンズシステムの一般的に大きいディメンションとが、一目瞭然である。
【００２０】
他の詳細や、本発明の特徴及び利点は、本発明の視覚補助装置（望遠眼鏡）の好ましい実施形態の、概略図を用いた以下の説明によって、明らかにされる。
【００２１】
【発明の実施の形態】
図１は、２つの管１と、接眼部品２と、この実施形態では赤外線ダイオード５及び受光ユニット６を備えて中心に設けられた自動焦点合せ手段４とを有する、視覚補助装置（vision aid）（“望遠眼鏡(telescopic spectacle)”）を示す。これら管１は、互いに固定され得るか、もしくは、図１に示されているように、長手方向に移動可能な横材１７によって接続され得る。外部スイッチ３と、外部電子ユニット７とが、ケーブルによって、もしくは、この実施形態のように、ケーブルなしで、例えば無線送信機８及び無線受信機９によって、もしくは別のやり方で、視覚補助装置に接続され得る。
【００２２】
図１は、ガイド１２として管１内に収容された２つの湾曲板を更に示す。これら湾曲板上で、光学部材１１が、これら夫々の位置の屈折特性が、夫々選択された作業距離Ａのために必要であり、複数管からの夫々の光路１４間の角度１３を生じさせるように、位置付けモータ１０によって前後に動かされ得る。適当な形状を有したこれら光学部材１１は、管１内に収容されるか、もしくは、管１の前に配置され得る。また、これら光学部材１１は、湾曲した板の上を移動可能であり得る。これら光学部材１１は、また、回転もしくは傾動のみが可能なように構成され得る。これら光学部材１１の位置の測定原則は、自動焦点合せ手段４によって実現される。これら光学部材１１の、その時点での視差均等化のために必要とされる位置の計算は、電子ユニット７によって成され得る。この電子ユニット７は、また、各作業距離Ａのために最適な、焦点合せユニット４のレンズシステムの位置を決定する。同様に、この位置付けは、位置付けモータ１０によってなされる。
【００２３】
更に、図１は、これを用いて、駆動後に、視覚補助装置の倍率（“ズーム”）が、外部スイッチ３によってもしくは音声制御によって連続的に変えられ得る、レンズシステム１５を示す。
視覚補助装置の他の全ての機能は、また、外部スイッチ３によって、もしくは音声制御によって、駆動され、停止されるか変えられ得る。
必要であれば、付加的な情報、例えば患者のバイタルサイン、コンピュータ断層撮影法もしくはＸ線情報、または画像、測定スケール等が、２つの管１内に夫々配置された光学面１６中に挿入され得る。代わって、もしくはこれに加えて、ディスプレイ１８が、１つの接眼レンズ２の近くに、もしくは２つの接眼レンズ２の近くに装着され得る。付加的な情報は、ディスプレイによって表示され得る。情報の挿入は、立体的に、即ち、視差並びに／もしくは目距離に対して補正された個々の像によって、行われ、これら情報は、全体的なもしくは部分的な画像（“静止画像”）として保持され得る。
【００２４】
ビデオ形態で供給された付加的な情報は、観察されている対物に関連した位置に正確に表示され得る。これは、慣性センサーと組み合わされる、光学的な、電磁気的なもしくは他の形式の位置付けシステムを使用して、果たされ得る。１つのこのようなシステムは、また、対物、例えば外科用器具の、患者に対する位置を決定し、この位置を、視覚補助装置の光路上の１つの光学面によって、もしくは外側に装着されたディスプレイによって表示するために、使用され得る。
【００２５】
これら慣性センサー、リニアまたは角度エンコーダー、もしくは、超音波、赤外線、または他のシステムが、例えば拡大領域、観察される対物までの距離等のような、視覚補助装置の現行のパラメータを記録するために使用され、また、付加的なコンピュータ処理をされたもしくは光学の情報の変更のために、使用もしくは表示され得る。
【００２６】
本発明で請求されている視覚補助装置には、作業領域を照明するための装置が、更に設けられ得る。このために必要とされる光は、光ファイバーによって、外部光源からヘッドセットを通り視覚補助装置の対物レンズ面の近くに向かうように経路を定められ得る。光ファイバーからの光を、作業領域が最適なサイズ及び強度で照明されるように、選択された作業距離と倍率とで焦点合せするレンズシステムが光ファイバーの端部に、取り付けられ得る。測定データは、内部もしくは外部センサーによって再現され得る。代わって、もしくはこれに加えて、光は、光ファイバーによって、１つの管１もしくは２つの管１を有する光学システムに、この光学システム内で、この光が、対物までの光路１４の同軸上に経路を定められるように、結合され得る。このようにして、光路１４と作業領域の照明との間の視差角は、回避される。
【００２７】
光の強度及び照明されている表面のサイズの、その時点で選択された倍率と各作業距離への上述されたような適合は、視覚補助装置の光学システム内で成され得る。
図２は、物体領域の同軸照明のための光の結合を、概略的に示す。ここでは、光は、外部光源１９から光ファイバー２０を通って光学部材２１中へと向かうように経路を定められている。これら部材２１は、光ビーム２３の同軸アラインメントを生じさせる。各作業距離にとって強度及び量の点で最適な照明が、ケーブルなしで、もしくはこの実施形態の例のようにケーブル２４によって、外部エレクトロニクス７に接続された位置付けモータ１０によって、レンズシステム２２によって位置付けデータを伝えるために、確実になされる。
【００２８】
例えば微小外科では、多くの場合、３−Ｄ効果を、各応用例もしくはその時点で観察される物体領域の表面構造に適合させることが、望ましい。本発明で請求されている視覚補助装置は、視覚補助装置の複数の対物レンズ間の距離が接眼レンズ２間の距離が同じ距離を維持するように変えられ得る装置によって、このような問題を解決している。図３は、長さが変えられ得る複数の横材１７によって相互に接続された管１間の距離を接眼レンズ間の均等な距離２６に調節するための、また、使用者のために生じる３−Ｄ効果を調節するための装置２５を備えた、本発明で請求されているような視覚補助装置の一実施形態を概略的に示す。この装置２５は、この実施形態では、管１間かくして対物レンズ間の距離２７が変わるときに、物体領域の画像を損なうことなく、２つの接眼レンズ２間の距離を一定に維持するために、この装置上の２つの接眼レンズ２が径方向対方向に互いに対向するように押され得る構成部品として、形成されている。しかし、このような効果は、対物レンズの前の、もしくは管１内の、移動可能な光学構成部品によって、果たされ得る。
【００２９】
光学システムに加えて、視覚補助装置の拡大領域を変化させるために、交換可能な接眼レンズもしくは交換可能な対物レンズが、管１内で、もしくはこれの上で使用され得る。
医学的診断の際に、光力的診断と呼ばれるプロセスが、用いられる。所定の、例えば悪性の組織の領域に堆積する感光性物質が、使用され、後で、所定の波長の光の放射によって（これの透過度（penetration depth）が約５ｍｍであることから通常は赤レーザー光が使用される）、目に見えるようにされる。他の可能性は、存在する癌腫もしくはプレ発癌性（precarcinogenic）の組織の一部分を目に見えるようにするために、所定の波長を有する光の下で、健康な組織の一部分と悪性の組織の一部分との異なった自己蛍光特性を利用することである。現在は、内視鏡もしくは外科用顕微鏡を一般に用いる、これらの目的を果たす幾つかのシステムが、公知である。例えば開手術中にこうした技術を利用することは、有効であったが、診断時に長時間に渡って使用可能な、頭上装着型の視覚補助装置はなかった。本発明で請求されている視覚補助装置は、一実施形態では、所定の波長を有する光が照射されることによって生じる被観察物体領域の所定の反射特性の認知を可能にするか容易にする複数のフィルターが、光学システムの光路上に導入され得るように、形成され得る。被観察物体領域における反射の違い、例えば組織の部位による自己蛍光の違いが、はっきりと目に見えるように検知され得ない場合には、視覚補助装置の一実施形態には、例えばカメラチップのような、内側の並びに／もしくは外側のレセプターが設けられることができる。これは、光源から、直接的にもしくは外側か内側の同軸光ファイバー光学システムを介して、観察する対物へと向かい物体から反射された光を受光するための、内側もしくは外側のソフトウェアアプリケーションによってこの光を解析し、この際に健康な組織の部分と悪性の組織の部分とに夫々異なった色を与える。これらの色は、光学システムの一方の管１か、両方の管１かに再反射され得、そこで使用者によって観察され得る。これらの色は、外部のディスプレイもしくはモニターに、任意で、光ビームの対物における位置及びサイズを示す位置マークを写すことにより、再現され得る。例えば、開手術の腫瘍除去では、これは、除去の根本的な改良もしくは癌腫の早期検出を導き得る。
【００３０】
図４は、管と、接眼レンズ２と、２つのフィルター２８を備えた光学システム内を縦に動かされ得る接続横材１７とを有する視覚補助装置を、概略的に示す。これらフィルター２８は、手動もしくはモータで、例えば板上をこれらの駆動位置へとまた駆動位置から横方向の変位だけ、移動され得る。
更に、図４は、目的とする実施形態では視覚補助装置の２つの管１間の１つの位置から、物体領域３０の表面下へと向かって物体領域３０を照明する光ファイバー２０を有するレーザー光源２９を示す。（表面の）癌腫３２によって反射された光３１は、健康な組織によって反射される光３３とは違う特性を有する。これらの違いが、図４で示されるように画像の反射及び解析及び色識別及び再反射によって、もしくは、駆動位置に移動されたフィルター２８によって、表示される。
【００３１】
公知の頭上装着型の視覚補助装置では、長時間に渡って、視覚補助装置の重量と、これに必要とされる使用者の目からの距離とによって引き起こされる傾斜モーメントの問題が、未解決である。本発明で請求されている視覚補助装置は（図５、図６）、この一実施形態で、ヘッドセット３４の後部から前部へと縦軸に沿って延びている湾曲した斜め材３５並びに／もしくはヘッドセット３４の後部に付着されたおもり３６を付着することによって、この問題を解決している。このように、使用者の、敏感な前部及び鼻領域の重量の中心が、頭部の問題のない中心部へ、かくして、人間工学的な条件からはより望ましい、頭部の縦軸へと変えられる。
【００３２】
図５は、斜め材３５とつりあいおもり３６とを有するヘッドセット３４を示す。
図６は、ヘッドセット３４の概略的な垂直面を示す。ここでは、視覚補助装置３７のおもりと、使用者の目からの距離とによって引き起こされる傾斜モーメント３８が、どのようにして、調節手段４１によって長さが調節され得る斜め材３５を備えたつりあいおもり３６によって平衡を保たれているかを、見ることができる。おもりは、使用者の縦軸４０への力の線３９に沿って、この使用者の頭部の中心で、陳列され得る。
【００３３】
特に、頭上装着型視覚補助装置内で大きく拡大するためには、“震動”及び“不明瞭さ”という問題が、従来は起こっていた。本発明で請求されている視覚補助装置は、好ましい一実施形態で、能動的なもしくは受動的な振動制動によって、この問題を解決している。対物を観察する際に、視覚補助装置の使用者が、中心を強調する自動焦点合せ構造によって検知された領域ではなく、例えば画像の縁に位置された他の領域を鮮明に見たい、という場合もある。従って、本発明で請求されている視覚補助装置には、使用者の瞳孔の位置を検出するための、複数の自動焦点合せ範囲と適当な制御ユニットとに結合された装置が設けられている。
【００３４】
様々の状況があるが、これら状況においては、頭上装着型視覚補助装置の使用者が、スイッチを押す必要なしに、視覚補助装置の機能並びに／もしくは外部装置を制御し得るのが望ましい。このために使用され得る音声制御は、全ての状況下で使用されることはできない。従って、本発明で請求されている視覚補助装置のヘッドセットの関連した領域では、使用者の脳の電流（brain current）を検出して、これらを、視覚補助装置の上述の機能並びに／もしくは使用者によって知覚される画像の再構築を制御するために、使用する電極が、設けられている。
【００３５】
更に、ヘッドセットの関連した領域には、使用者の状態を確立し得るバイオフィードバックセンサーが、設けられ得る。これから得られる情報は、多くの様々な方法で、例えば過剰なストレスもしくは消耗及び疲労が生じている場合に外科医に警告を与えるように、使用され得る。
図７の（Ａ）、（Ｂ）、（Ｃ）の実施形態では、赤外線システム（ＩＲ）として形成された自動焦点合せ手段４の受光ユニット６に、自動焦点合せ手段４から生じたのではないかもしくはこれに属していると共に対物の領域３０によって反射されない赤外線の放射４３、４４が、自動焦点合せ受光ユニット６に達するのを防ぐための装置が、設けられている。こうした、自動焦点合せ手段４に属していない反射された赤外線４８は、受動的な赤外線画像の案内もしくはナビゲーションのためのシステム４２から生じ得る。
【００３６】
かくして、自動焦点合せシステム４の望ましくない影響は、例えばフィルター、特に偏光フィルター４５（図７の（Ａ））として、また、対物の領域に向けられた管４７として（図７の（Ｂ））、もしくは、真直ぐにもしくは傾斜するようにされたルーバあるいは格子アタッチメント４６（図７の（Ｃ））として形成された装置によって、防がれる。
図８に示された、本発明で請求されている視覚補助装置の実施形態では、２つのレンズシステム５１、５２、つまり右レンズシステム及び左レンズシステムが、共通の管（単一管）５０内に収容されている。共通の管５０内に収容されているレンズシステム５１、５２は、汚れの浸透及び外部光と散在された光との入射を防ぐように、カバー５３によって、管５０の一方の端もしくは両方の端で、例えば保護されている。かくして、外部もしくは散在された光の入射によって不利な影響を受けることがなく、本発明で請求された視覚補助装置と共働することが可能である。
【００３７】
図８の実施形態で例として示されている共通の管５０は、視覚補助装置が、外側に位置された移動部を有する必要がないという利点を、提供している。他の実施形態の中でもこの実施形態が、視覚補助装置の、よりよい安定性と、衝撃と張力とねじれとに対する強さ（invulnerability）を備えているという利点を有する。更に、視覚補助装置は、図８の実施形態では、水分が浸透しないようにシールされ得るので、水たまり部分（water splash）に浸透しないように保護され、また、本発明で請求されている視覚補助装置を消毒液内に位置することが可能になる。また、部品が、本発明で請求されている視覚補助装置から外科手術領域に落ちてしまうという危険がなくなる。
本発明で請求されている視覚補助装置の他の実施形態におけるように、視差角は、他の実施形態に関連して上述されたように（特に図１）、焦点距離が光学部材１１によって共通の管５０内で変えられるときに、均等化される。
特に外科手術、例えば、外科医が外科手術領域を見ることが直接には不可能で補助装置によってのみ可能な、人間の脳の手術において、赤外線によって制御される装置が、患者に対する器具の位置を追い、モニターにこれを表示するために、使用されている。これらの装置（赤外線追跡手段）は、極めて効果的であることが証明されている。本発明で請求されている視覚補助装置が１つの赤外線追跡手段と共に使用されている場合、赤外線追跡手段によって放射された赤外線光が、視覚補助装置の、同様の赤外線に制御される自動焦点合せ手段に、不利な影響を与えるという危険が生じ得る。このような状況を正すために、本発明で請求されている視覚補助装置では、部品が、外部光もしくは散在光、特に赤外線追跡手段６０からの光の入射を防ぐための自動焦点合せ手段に配置され得る。これは、原則的に、図７の（Ａ）、（Ｂ）、（Ｃ）によって更に説明されている。産業で、本発明で請求されている視覚補助装置を使用する際には、日光の赤外線部分が破壊的であり得る。本発明で請求されている視覚補助装置の自動焦点合せ手段４に不利な影響を与えないために、視覚補助装置に係わる本発明の一実施形態では、例えば赤外線追跡手段６並びに／もしくは日光から生じる破壊的な赤外線光の入射を防ぐために、測定が成される。
【００３８】
このような手段の一実施形態が、図９に示されている。これは、互いに平行に並べられて自動焦点合せ手段４の赤外線レシーバー６の入口開口６３を超えて突出している複数のルーバを有しており、かくして、本発明で請求されている視覚補助装置の自動焦点合せ手段４の赤外線レシーバー６は、斜めに入射される赤外線光６１を、この光が、レシーバー６の前に位置されたルーバ６２によってレシーバー６に入らないようにされることから、受け得ない。赤外線レシーバー６の観察方向に対して平行にアラインメントされた赤外線のみが、レシーバー６に入射され得る。
【００３９】
例えば、赤外線追跡装置を使用する場合に、外科手術ナビゲーションシステムで使用されて外科手術用器具の位置を検出するように意図された赤外線散在光が、本発明で請求されている視覚補助装置（sic）の自動焦点合せ手段４の受光ユニット６中に入るのを防ぎ、焦点合せのプロセスが赤外線散在光によって中断されるのを回避するために、図１０に示されている実施形態が、用いられ得る。この実施形態では、自動焦点合せ手段のレシーバー６の前に、カメラの対物レンズの前で使用される、サンバイザーに類似した管状のダイヤフラム６５が、設けられている。図１０は、赤外線追跡手段６０から生じた赤外線光６１が自動焦点合せ手段４のレシーバー６に達することがないのを、示す。対物の平面３０（物体領域）によって反射され、本発明で請求されている視覚補助装置の自動焦点合せ手段４に属している赤外線手段５によって放射された赤外線光６６のみが、レシーバー６に達し得る。従来は頭上に設けられていた赤外線追跡装置６０から生じる赤外線光６１は、本発明で請求されている視覚補助装置の自動焦点合せ手段の赤外線受光ユニット６の入口開口６３に入ることができない。自動焦点合せ手段４の受け取り部６の前で、物体領域へ向けられた管６５が、効果を強化するように、この内側を光吸収材料でコーティングされるか、もしくは、１つのこのような材料で形成され得る。
【００４０】
図９、１０で示されている実施形態に代わって、様々の（偏光）フィルターによっても外部光の入射（赤外線の入射）を防ぐことが可能である。
本発明で請求されている視覚補助装置の視野に情報を映し出すためには、種々の可能性がある。データ及び他の情報を本発明で請求されている視覚補助装置の視野に映し出す、公知の可能性の不利な点は、映し出されたデータもしくは他の情報（コンピュータ断層撮影法及び磁気共振画像）が、本発明で請求されている視覚補助装置の使用者が疲労せずに作業し得るような十分な明るさ及びコントラストを有して表示され得ないことである。
【００４１】
図１１は、データ及び他の情報が、本発明で請求されている視覚補助装置の視野に容易に映し出され得るようにする、本発明で請求されている視覚補助装置の一実施形態を概略的に示している。図１１に示されている実施形態では、本発明で請求されている視覚補助装置の対物レンズ７０と接眼レンズ７１との間の、好ましくはテレコンプレッサー（telecompressor）７２とテレコンバーター（teleconverter）７３との間の光路上に、透明なディスプレイ７４が設けられている。この透明なディスプレイ７４は、ビームスプリッター８０がテレコンバーターと接眼レンズとの間に設けられていない場合、主ディスプレイ７５に反転した画像を映し出す。この接続部分では、ビームスプリッターは、光ビームを部分的に反射し、かくしてこれらを例えば９０°だけ反射する光学手段であり、光ビームに対して部分的に透明である。１つのこのようなビームスプリッター８０は、ポッロプリズムであるか、部分的に透明なミラーであり得る。この結果、データ及び他の情報が本発明で請求されている視覚補助装置の視野に挿入される位置で、視覚補助装置によって作り出された画像は、隠される。このように、図（挿入されたデータ及び他の情報）は、より明るくされ、これらが画像に被さらないことから比較的高いコントラストを有する。図１１に示されている実施形態では、主ディスプレイ７５は、外部の電源、例えば磁気共振画像装置もしくはコンピュータ断層撮影法装置、デジタル式Ｘ線装置等から情報を受け取り、そして、これを、映写光学（projection optics）及びビームスプリッター８０によって、本発明で請求されている視覚補助装置の光路に映し出す。
【００４２】
かくして、図１１に示された実施形態では、主ディスプレイ７５の情報がどこで結像されても、対物の画像は弱くもしくは暗くされ、かくして、データ及び他の情報が、主ディスプレイ７５で更に容易に目に見えるようにされることが重要である。
要約すれば、本発明の１つの好ましい実施形態は、以下のように説明され得る。
望遠眼鏡の形状の視覚補助装置は、少なくとも１つの対物レンズ７０と１つの接眼レンズ７１とを夫々有する２つのレンズシステムを有する。自動焦点合せ手段は、レンズシステムに配置され、この手段は、レンズシステムの焦点距離を、対物からの望遠眼鏡の距離に従ってこれらの焦点を合わせるために、変える。更に、レンズシステム（“ズーム”）の焦点距離を変える事によって倍率を変えるための手段と、視覚補助装置のレンズシステム間の視差を、望遠眼鏡の距離に従って設定された対物からの焦点距離に適合させるための手段とが、レンズシステムに与えられている。視差は、レンズシステムの光路上に設けられており、また、レンズシステム１から対物まで延びている複数の光路１４間の角度１３が変えられ得るようにする、調節可能な光学部材１１を用いて適合されている。
【図面の簡単な説明】
【図１】  図１は、視覚補助装置を示す。
【図２】  図２は、照明手段を有する視覚補助装置を示す。
【図３】  図３は、対物レンズの距離が変えられる一実施形態を示す。
【図４】  図４は、これに設けられたレーザー光源を有する視覚補助装置を示す。
【図５】  図５は、視覚補助装置のためのヘッドセットを示す。
【図６】  図６は、視覚補助装置のためのヘッドセットを示す。
【図７】  図７の（Ａ）、（Ｂ）、（Ｃ）は、自動焦点合せ手段のためのセンサーの前に装置を備えた一実施形態を示す。
【図８】  図８は、２つのレンズシステムが共通の管内に収容されている実施形態を示す。
【図９】  図９は、外側の（赤外線）光が、赤外線自動焦点合せ手段の受け部中に入るのを防ぐための手段を備えた、視覚補助装置の一実施形態を概略的に示す。
【図１０】  図１０は、図９の実施形態に類似した、外側の（赤外線）光が、赤外線自動焦点合せ手段の受け部中に入るのを防ぐための手段の他の実施形態を示す。
【図１１】  図１１は、視覚補助装置の光路上の透明なディスプレイ装置の概略的な形状を、概略的に示す。
【図１】
0004624629.tif 000002
【図２】
0004624629.tif 000003
【図３】
0004624629.tif 000004
【図４】
0004624629.tif 000005
【図５】
0004624629.tif 000006
【図６】
0004624629.tif 000007
【図７】
0004624629.tif 000008
【図８】
0004624629.tif 000009
【図９】
0004624629.tif 000010
【図１０】
0004624629.tif 000011
【図１１】
0004624629.tif 000012